(57)【要約】【課題】ブロック塀の建設現場における縦筋の曲げ加工を不要とし、かつ縦筋および横筋の中心線を一致させた状態で縦筋上端のフックによる横筋との結束を可能にする。【解決手段】ブロック塀の頂部に位置する縦筋１４の上端部と最上段に位置する横筋１５との結束構造において、直線状基部２１ａと上記横筋の少なくとも上半部を囲む湾曲部２１ｂとからなるフック状結束具２１の直線状基部２１ａが、湾曲部２１ｂを上記縦筋１４の中心線Ｎ上に位置させるようにパイプ状継ぎ手２０を介して縦筋１４の上端に接続され、湾曲部２１ｂに上記の横筋１５が挿通されて縦筋１４と横筋１５とが結束される。【選択図】      図２
2006104720.tif 000002
【特許請求の範囲】
【請求項１】
ブロック塀の頂部に位置する縦筋の上端部と最上段に位置する横筋との結束構造において、上記横筋の少なくとも上半部を囲む湾曲部を備えた結束具が、上記の湾曲部を上記縦筋の中心線上に位置させて上記縦筋の上端部に接続され、上記湾曲部の下に上記の横筋が挿通されて縦筋と横筋が結束されていることを特徴とするブロック塀頂部の鉄筋結束構造。
【請求項２】
結束具が棒鋼からなる直線状基部の一端にフックもしくはリングを形成したものであり、上記の直線状基部を下向きにし、パイプ状継ぎ手を介して縦筋の上端に接続された請求項１記載のブロック塀頂部の鉄筋結束構造。
【請求項３】
結束具が縦筋よりも直径が太い棒鋼の一端側に横筋の挿通可能な横孔を設け、他端に縦筋上端の挿入可能な縦孔を設けてなり、この縦孔に上記縦筋の上端が挿入、接続された請求項１記載のブロック塀頂部の鉄筋結束構造。
【発明の詳細な説明】
【技術分野】
【０００１】
この発明は、コンクリートブロックを組積みして得られた塀の頂部における縦筋と横筋の結束構造に関するものである。
【背景技術】
【０００２】
図１は、コンクリートブロックからなる塀の頂部における通常の鉄筋結束構造を示し、１０は最上段のコンクリートブロックであり、平板状の前面フェースシェル１１、背面フェースシェル１２およびこれらを連結する複数個のウエブシェル１３からなり、ウエブシェル１３の上面および下面には、それぞれ横筋設置用の凹部１３ａおよび１３ｂ（図示されていない）が凹設され、前面フェースシェル１１、背面フェースシェル１２およびウエブシェル１３で囲まれた空洞部に縦筋１４が通され、この縦筋１４の上端部がＵ字状に曲げられてフック１４ａに形成され、このフック１４ａが最上段の横筋１５に対して上から掛けられ、縦筋１４と横筋１５を結束している。なお、上記の空洞部には組積み後にコンクリートが充填される。
【０００３】
しかしながら、上記の縦筋１４は、その下端があらかじめ基礎に埋込みにより固定されており、かつ前面フェースシェル１１および背面フェースシェル１２の間隔が狭いため、塀の建設現場で上記の縦筋１４に曲げ加工を施すのは極めて困難であり、特に縦筋１４の硬度が増したり、径が太くなったりすると、上記の曲げ加工によるフック１４ａの成形が困難となり、そのため縦筋と横筋の結束がほとんど不可能であった。そして、この結束を省略した場合は、縦筋と横筋間で応力が伝達されなくなり、塀が転倒し易くなっていた。また、縦筋と横筋の中心がずれるため、前面フェースシェル１１および背面フェースシェル１２の間隔が狭い場合は、さらに上記の曲げ加工が困難であった。
【０００４】
この問題を避けるため、種々の提案がされている。例えば、下記の特許文献１には、ブロック塀とは異なる鉄筋コンクリート構造体における縦筋・横筋の結束構造として、縦筋の端部にワッシャー状の定着金具を、その片面に固着されているナット部を介して螺合により固定し、上記の定着金具を横筋に掛けることが開示されている。しかしながら、この場合は、ワッシャー状の定着金具の下面を横筋に接触させるのみであるから、結束が外れて応力が伝達されなくなり、この定着金具をブロック塀の縦筋に利用した場合は、前記同様に塀が転倒し易くなり、かつ縦筋と横筋の中心がずれるという問題があった。
【特許文献１】特開２００１−１４０４０５号公報
【発明の開示】
【発明が解決しようとする課題】
【０００５】
この発明は、ブロック塀の建設現場における縦筋の曲げ加工を不要とし、かつ縦筋および横筋の中心線を一致させた状態で縦筋上端のフックによる横筋との結束を可能にし、もって縦筋・横筋間の応力不伝達による塀の転倒を防ぎ、かつ建設現場での作業を容易にし、能率を向上する。
【課題を解決するための手段】
【０００６】
この発明に係るブロック塀頂部の鉄筋結束構造は、ブロック塀の頂部に位置する縦筋の上端部と最上段に位置する横筋との結束構造において、上記横筋の少なくとも上半部を囲む湾曲部を備えた結束具が、上記の湾曲部を上記縦筋の中心線上に位置させて上記縦筋の上端部に接続され、上記湾曲部の下に上記の横筋が挿通されて縦筋と横筋が結束されていることを特徴とする。
【０００７】
上記の結束構造では、上記縦筋の上端部に上記横筋の上半部を囲む湾曲部、例えばＵ字形、Ｃ字形等に湾曲するフックもしくは孔を備えた結束具を、あらかじめ工場で生産し、塀の建設現場に多量に用意しておき、これを塀の組積み終了時の縦筋頂部に高さを揃えて固く接続し、しかるのちこれら結束具の湾曲部の下側に最上段の横筋を塀の側方から順に挿通することにより、この横筋が上記多数本の縦筋と結束される。そして、この結束構造では、結束具の湾曲部が横筋の少なくとも上半部を囲むので、上記の結束は、従来の縦筋上端部をＵ字状に曲げた場合と同様に固く行なわれる。しかも、上記湾曲部が縦筋の中心線上、すなわち真上に位置するので、縦筋と横筋の中心線にずれが生じない。したがって、組積み時の結束作業が容易となり、それだけ作業能率が向上する。
【０００８】
なお、上記の結束具は、縦筋の中心線上に横筋を直角に挿通できる構造であれば任意であるが、棒鋼からなる直線状基部の一端にフックもしくはリングを形成し、上記の直線状基部を下向きにし、パイプ状継ぎ手を介して縦筋の上端に接続する構造が好ましく、この場合は、縦筋の上端が直線状態で用いられ、また直線状基部を備えたフックもしくはリングの製造、パイプ状継ぎ手の製造およびこれらの接続を工場で行なうことができ、現場での結節作業はパイプ状継ぎ手と縦筋頂部との接続のみとすることができるので、結束作業が容易であり、組積み作業の能率が向上する。そして、フックもしくはリングとパイプ状継ぎ手との接続および該継ぎ手と縦筋との接続は、圧入、ネジ込み、接着等で固定するのが好ましい。
【０００９】
これに対して、前記図１のフック１４ａのように、鉄筋をＵ字形に湾曲し、直線状基部の片側にフックを形成し、これをパイプ状継ぎ手を介して縦筋に接続しようとすると、縦筋の上端にあらかじめパイプ状継ぎ手を固定し、これにフックの直線状基部をネジ込む際、およびフックの直線状基部にパイプ状継ぎ手をあらかじめ固定し、このパイプ状継ぎ手を縦筋の上端にネジ込む際は、いずれもフックの自由端がコンクリートブロックのフェースシェル内面に接触し、ねじ込みが不可能ないし困難になる。また、上記のネジ込みに代えて叩き込み等の圧入を用いる際は、芯がずれるため、縦筋が曲がり易くなり、また横筋に対する引っ掛けミスが発生し易くなる。
【００１０】
また、上記の結束具は、縦筋よりも直径が太い棒鋼の一端側に横筋の挿通可能な横孔を設け、他端に縦筋の上端を挿入可能な縦孔を設けたものとし、この縦孔に上記縦筋の上端を挿入、接続することができる。この場合も、結束具を工場生産で用意することができ、塀の建設現場では、縦筋の上端が直線状態で用いることができ、現場での結節作業は、結束具と縦筋頂部との接続のみであるから、結束作業が容易であり、組積み作業の能率が向上し、かつ部品点数が減少する。なお、結束具と縦筋との接続は、圧入、ネジ込み、接着等が好ましい。
【発明の効果】
【００１１】
この発明に係るブロック塀頂部の鉄筋結束構造は、縦筋上端と最上段の横筋との結束が従来の縦筋上端部をＵ字状に曲げた場合と同様に固く行なわれる。しかも、結束具に設けた湾曲部が、従来と異なり、縦筋の中心線上に位置するので、縦筋と横筋の中心線にずれが生じない。そして、塀の建設現場における結束作業において、縦筋は、曲げ加工することなく直線状態のままで使用されるので、結束作業が容易となり、それだけ作業能率が向上する。
【００１２】
特に請求項２に係る発明は、建設現場における結束作業は、パイプ状継ぎ手と縦筋頂部との接続のみであり、この接続は圧入、ネジ込み、接着等で行なうことができるので、作業がさらに容易となる。また、請求項３に係る発明は、建設現場での結束作業が上記請求項２に係る発明と同様に容易であると共に、部品点数が減少するので、結束具の管理が容易となる。
【発明を実施するための最良の形態】
【００１３】
実施形態１
図２において、１０はブロック塀頂部のコンクリートブロックであり、前記同様に平板状の前面フェースシェル１１、背面フェースシェル１２およびこれらを連結する複数個のウエブシェル１３からなり、ウエブシェル１３の上面および下面には、それぞれ横筋設置用の凹部１３ａおよび１３ｂが凹設され、前面フェースシェル１１、背面フェースシェル１２およびウエブシェル１３で囲まれた空洞部に縦筋１４が通されている。ただし、この実施形態では、縦筋１４の上端にパイプ状継ぎ手２０を介してフック形結束具２１が接続され、このフック形結束具２１の上方湾曲部２１ｂに横筋１５が通されている。
【００１４】
上記のフック形結束具２１は、縦筋１４と等しい直径の鉄筋をあらかじめ曲げ加工して作ったもので、直線状の基部２１ａと鉤状の湾曲部２１ｂとからなり、湾曲部２１ｂ内側の孔部２１ｃの中心が基部２１ａの中心線Ｎ上に位置し、湾曲部２１ｂの先端が横筋１５の下面よりも下方で下を向き、孔部２１ｃは、横筋１５の少なくとも上半部を囲む形になっている。そして、上記の基部２１ａが前記パイプ状継ぎ手２０の中心孔２０ａの上端に圧入で固定され、この中心孔２０ａの下端に縦筋１４の上端が圧入で固定され、この固定後の孔部２１ｃに横筋１５が挿通され、しかるのち、縦筋１４および横筋１５の回りにコンクリートが充填される。
【００１５】
なお、縦筋１４に対するフック形結束具２１の接続は、上記のようにパイプ状継ぎ手２０にあらかじめフック２１を接続し、しかるのちパイプ状継ぎ手２０を縦筋１４に接続してもよいが、まず縦筋１４にパイプ状継ぎ手２０を接続し、しかるのちパイプ状継ぎ手２０にフック形結束具２１を接続することもできる。そして、フック形結束具２１の湾曲部２１ｂを上下方向に長く成形し、孔部２１ｃの右下隅の隙間２１ｄを横筋１５の直径よりも広くしたときは、横筋１５の配筋後にフック形結束具２１を縦筋１４に接続することができる。
【００１６】
実施形態２
図３において、２５はめがね形結束具であり、直線状基部２５ａの上端に横筋１５の挿通可能な円形のリング部２５ｂを一体に形成し、その孔中心を基部２５ａの中心線Ｎ上に位置させ、上記の基部２５ａを、前記の実施形態１と同様にパイプ状継ぎ手２０の上端に圧入で固定し、パイプ状継ぎ手２０の下端に縦筋１４の上端を圧入で固定したものである。この実施形態２では、リング部２５ｂが横筋１５の全周を囲むので、結束が一層固くなる。
【００１７】
実施形態３
図４において、３０は、縦筋よりも太い径の棒鋼からなる結束具であり、その一端側に横筋１５の挿通可能な横孔３０ａを設け、他端に縦筋１４の上端の挿入可能な縦孔３０ｂを設けたものであり、この縦孔３０ｂに上記縦筋１４の上端が圧入により接続されている。この実施形態３は、横孔３０ａが横筋１５の全周を囲むので、実施形態２と同様に結束が固くなり、かつ実施形態１、２で必要とした結束具２１、２５とパイプ状継ぎ手２０との組立て作業が不要となり、部品点数も少なくなる。
【図面の簡単な説明】
【００１８】
【図１】従来構造の断面図である。
【図２】実施形態１の断面図である。
【図３】実施形態２の断面図である。
【図４】実施形態３の断面図である。
【符号の説明】
【００１９】
１０：コンクリートブロック
１１：前面フェースシェル
１２：背面フェースシェル
１３：ウエブシェル
１３ａ、１３ｂ：横筋設置用凹部
１４：縦筋、１５：横筋
２０：パイプ状継ぎ手
２１：フック形結束具、２１ａ：直線状基部、２１ｂ：湾曲部、２１ｃ：孔部
２５：めがね形結束具、２５ａ：直線状基部、２５ｂ：リング部
３０：棒形結束具、３０ａ：横孔、３０ｂ：縦孔
【図１】
2006104720.tif 000003
【図２】
2006104720.tif 000004
【図３】
2006104720.tif 000005
【図４】
2006104720.tif 000006